(57)【要約】【課題】簡易な構成で、流体流入部と複数の流体流出部との選択的な連通を切り替え、流体流入部に流入した流体を複数の流体流出部からより多くのパターンで流出させることができる流路切替装置を提供する。【解決手段】複数の第２貫通穴３２ａ〜３２ｃ及び複数の噴出口５〜７が選択的に連通する一の状態で、第２ディスク２２に対して第１ディスク２１を相対回動させて空気流入口１６ｄと複数の噴出口５〜７とを第１貫通穴３１ａ〜３１ｃ及び第２貫通穴３２ａ〜３２ｃを介して一のパターンで選択的に連通し、第１及び第２ディスク２１，２２を一体回動させて複数の第２貫通穴３２ａ〜３２ｃ及び複数の噴出口５〜７の選択的な連通を切り替えた他の状態で、第２ディスク２２に対して第１ディスク２１を相対回動させて、空気流入口１６ｄと複数の噴出口５〜７とを第１貫通穴３１ａ〜３１ｃ及び第２貫通穴３２ａ〜３２ｃを介して他のパターンで選択的に連通する。【選択図】図１
2010223373.tif 000002
【特許請求の範囲】
【請求項１】
流体の流入する筒状の流体流入部と、
前記流体流入部に流入した流体の流出可能な複数の流体流出部が周方向に並設され、前記流体流入部の下流側開口端部を閉塞する蓋体と、
前記蓋体に回動自在に積層され、前記複数の流体流出部に選択的に連通可能な複数の第１貫通穴及び第２貫通穴が周方向にそれぞれ並設された第１ディスク及び第２ディスクと、
前記第１ディスクを回動駆動する駆動源と、
前記第１及び第２ディスクのいずれか一方に設けられた係合突部と、
前記第１及び第２ディスクのいずれか他方に設けられ、前記係合突部が遊挿されて前記第２ディスクに対する前記第１ディスクの所定角度範囲での相対回動を許容するとともに該所定角度範囲の終端で前記第１及び第２ディスクが一体回動するように前記係合突部に係合される係合凹部とを備え、
前記複数の第２貫通穴及び前記複数の流体流出部が選択的に連通する一の状態で、前記第２ディスクに対して前記第１ディスクを相対回動させて前記流体流入部と前記複数の流体流出部とを前記第１及び第２貫通穴を介して一のパターンで選択的に連通し、
前記第１及び第２ディスクを一体回動させて前記複数の第２貫通穴及び前記複数の流体流出部の選択的な連通を切り替えた他の状態で、前記第２ディスクに対して前記第１ディスクを相対回動させて、前記流体流入部と前記複数の流体流出部とを前記第１及び第２貫通穴を介して他のパターンで選択的に連通することを特徴とする流路切替装置。
【請求項２】
請求項１に記載の流路切替装置において、
前記流体流出部、前記第１貫通穴及び前記第２貫通穴は、それぞれ互いに同一の所定角度間隔に３個配設されており、
前記第２ディスクに対する前記第１ディスクの相対回動が許容される前記所定角度範囲は、前記所定角度の２倍に設定されていることを特徴とする流路切替装置。
【請求項３】
請求項２に記載の流路切替装置において、
前記所定角度は９０°であることを特徴とする流路切替装置。
【請求項４】
請求項１〜３のいずれか一項に記載の流路切替装置において、
前記第２ディスクは、前記第１ディスク及び前記蓋体間に挟み込まれており、
前記第２ディスク及び前記蓋体間に設けられ、前記複数の第２貫通穴及び前記複数の流体流出部が選択的に連通する状態で前記第２ディスクを回り止めする保持手段を備えたことを特徴とする流路切替装置。
【発明の詳細な説明】
【技術分野】
【０００１】
本発明は、流路切替装置に関するものである。
【背景技術】
【０００２】
従来、流路切替装置としては、例えば特許文献１に記載されたものが知られている。この流路切替装置は、回転軸方向に空気流入口（Ｈ０）を有するとともに周方向に複数の空気流出口（Ｈ１〜Ｈ６）を有するハウジング（７２）と、該ハウジングに回転自在に収納され、回転軸方向に空気流入口（Ｒ０）を有するとともに該空気流入口と連通する空気流出口（Ｒ１）を周方向に有する回転子（７１）とを備えて構成される。そして、回転子は、その空気流出口がハウジングの複数の空気流出口のいずれか一つに連通するようにモータ（７３）にて回転駆動される。つまり、この流路切替装置は、一つの空気流入口に対して複数の空気流出口を有するハウジングを備えており、該ハウジングに収納される回転子を回転させることで流路を切り替える。これにより、一台の送風装置で複数箇所に吹き分けて空気を送ることができる。
【先行技術文献】
【特許文献】
【０００３】
【特許文献１】特開２００３−２４０１３６号公報
【発明の概要】
【発明が解決しようとする課題】
【０００４】
ところで、特許文献１の流路切替装置では、回転子の回転によりその空気流出口とハウジングの複数の空気流出口のいずれか一つとを連通させて、一台の送風装置による空気の吹き分けを行っているため、該吹き分けのパターンが選択されたいずれか一箇所のみの限られたものとなっている。
【０００５】
本発明の目的は、簡易な構成で、流体流入部と複数の流体流出部との選択的な連通を切り替え、流体流入部に流入した流体を複数の流体流出部からより多くのパターンで流出させることができる流路切替装置を提供することにある。
【課題を解決するための手段】
【０００６】
上記問題点を解決するために、請求項１に記載の発明は、流体の流入する筒状の流体流入部と、前記流体流入部に流入した流体の流出可能な複数の流体流出部が周方向に並設され、前記流体流入部の下流側開口端部を閉塞する蓋体と、前記蓋体に回動自在に積層され、前記複数の流体流出部に選択的に連通可能な複数の第１貫通穴及び第２貫通穴が周方向にそれぞれ並設された第１ディスク及び第２ディスクと、前記第１ディスクを回動駆動する駆動源と、前記第１及び第２ディスクのいずれか一方に設けられた係合突部と、前記第１及び第２ディスクのいずれか他方に設けられ、前記係合突部が遊挿されて前記第２ディスクに対する前記第１ディスクの所定角度範囲での相対回動を許容するとともに該所定角度範囲の終端で前記第１及び第２ディスクが一体回動するように前記係合突部に係合される係合凹部とを備え、前記複数の第２貫通穴及び前記複数の流体流出部が選択的に連通する一の状態で、前記第２ディスクに対して前記第１ディスクを相対回動させて前記流体流入部と前記複数の流体流出部とを前記第１及び第２貫通穴を介して一のパターンで選択的に連通し、前記第１及び第２ディスクを一体回動させて前記複数の第２貫通穴及び前記複数の流体流出部の選択的な連通を切り替えた他の状態で、前記第２ディスクに対して前記第１ディスクを相対回動させて、前記流体流入部と前記複数の流体流出部とを前記第１及び第２貫通穴を介して他のパターンで選択的に連通することを要旨とする。
【０００７】
同構成によれば、前記複数の第２貫通穴及び前記複数の流体流出部が選択的に連通する一の状態で、前記第２ディスクに対して前記第１ディスクを相対回動させて前記流体流入部と前記複数の流体流出部とを前記第１及び第２貫通穴を介して一のパターンで選択的に連通し、あるいは前記第１及び第２ディスクを一体回動させて前記複数の第２貫通穴及び前記複数の流体流出部の選択的な連通を切り替えた他の状態で、前記第２ディスクに対して前記第１ディスクを相対回動させて、前記流体流入部と前記複数の流体流出部とを前記第１及び第２貫通穴を介して他のパターンで選択的に連通することができる。このように、２枚のディスク（第１及び第２ディスク）を用いて、各々の回転位置の組み合わせを変更することで、前記流体流入部と前記複数の流体流出部との前記第１及び第２貫通穴を介した選択的な連通を切り替え、前記流体流入部に流入した流体を前記複数の流体流出部からより多くのパターンで流出させることができる。また、前記蓋体に積層された２枚のディスクを用いた極めて簡易な構成を採用したことで、装置全体をより小型化することができる。
【０００８】
請求項２に記載の発明は、請求項１に記載の流路切替装置において、前記流体流出部、前記第１貫通穴及び前記第２貫通穴は、それぞれ互いに同一の所定角度間隔に３個配設されており、前記第２ディスクに対する前記第１ディスクの相対回動が許容される前記所定角度範囲は、前記所定角度の２倍に設定されていることを要旨とする。
【０００９】
同構成によれば、前記第２ディスクに対する前記第１ディスクの相対回動並びに前記第１及び第２ディスクの一体回動を組み合わせることで、前記第１及び第２ディスクによりいずれか一つの前記流体流出部の連通を遮断することができる。従って、前記流体流入部と前記複数（３個）の流体流出部との前記第１及び第２貫通穴を介した連通は、少なくとも一つ以上の流体流出部が連通する互いに異なる全てのパターン（パターン数：７＝２＾３−１）で実現することができる。これにより、少ない個数の前記流体流出部等で、前記流体流入部と前記複数（３個）の流体流出部との連通のパターンを効率的により多く得ることができ、ひいては装置全体としてより小型化することができる。
【００１０】
請求項３に記載の発明は、請求項２に記載の流路切替装置において、前記所定角度は９０°であることを要旨とする。
同構成によれば、前記流体流出部、前記第１貫通穴及び前記第２貫通穴は、それぞれ前記蓋体、前記第１ディスク及び前記第２ディスクの２７０°（＝９０°×３）の角度範囲で配設されている。従って、いずれか一つの前記流体流出部の連通を、前記第１及び第２ディスクの残りの９０°の角度範囲でそれぞれ遮断することができる。このように、前記蓋体、前記第１ディスク及び前記第２ディスクのスペースを有効利用して前記流体流出部、前記第１貫通穴及び前記第２貫通穴を配設することで、これら流体流出部、第１貫通穴及び第２貫通穴の開口面積をそれぞれより大きくすることができる。
【００１１】
請求項４に記載の発明は、請求項１〜３のいずれか一項に記載の流路切替装置において、前記第２ディスクは、前記第１ディスク及び前記蓋体間に挟み込まれており、前記第２ディスク及び前記蓋体間に設けられ、前記複数の第２貫通穴及び前記複数の流体流出部が選択的に連通する状態で前記第２ディスクを回り止めする保持手段を備えたことを要旨とする。
【００１２】
同構成によれば、前記保持手段により前記第２ディスクが回り止めされることで、該第２ディスクに対する前記第１ディスクの相対回動時に前記第２ディスクに生じる位置ずれ（連れ回り）を抑制することができ、流路切替の信頼性を向上することができる。
【発明の効果】
【００１３】
本発明では、簡易な構成で、流体流入部と複数の流体流出部との選択的な連通を切り替え、流体流入部に流入した流体を複数の流体流出部からより多くのパターンで流出させることができる流路切替装置を提供することができる。
【図面の簡単な説明】
【００１４】
【図１】本発明の一実施形態を示す分解斜視図。
【図２】（ａ）は同実施形態を示す平面図であり、（ｂ）は（ａ）のＡ−Ａ線に沿った断面図。
【図３】（ａ）（ｂ）は、第１ディスクを示す平面図及び背面図。
【図４】（ａ）（ｂ）は、第２ディスクを示す平面図及び背面図。
【図５】（ａ）（ｂ）は、蓋体を示す平面図及び背面図。
【図６】（ａ）〜（ｅ）は、同実施形態の動作を模式的に示す断面図。
【図７】各パターンと対応する第１〜第３噴出口の連通・非連通との関係を示す一覧図。
【図８】（ａ）〜（ｄ）は、各パターンにおける第１及び第２ディスクの回転角度を示す説明図。
【図９】（ａ）〜（ｃ）は、各パターンにおける第１及び第２ディスクの回転角度を示す説明図。
【図１０】換気機能付きベッドを示す概略図。
【発明を実施するための形態】
【００１５】
以下、本発明を具体化した一実施形態を図面に従って説明する。
図１０は、本実施形態に係る流路切替装置が適用される換気機能付きベッド１を示す概略図である。同図に示されるように、この換気機能付きベッド１は、略直方体状のマットレス２を備えるとともに、該マットレス２の足下側でこれに内蔵された箱状の送風装置３を備える。そして、この送風装置３には、マットレス２内でその幅方向に延在して外部空気の吸入可能な吸気口４が連通している。
【００１６】
また、送風装置３は、吸入した外部空気を噴出可能な複数（３個）の流体流出部としてのノズル状の第１噴出口５、第２噴出口６及び第３噴出口７を備えている。そして、第１噴出口５には、マットレス２内でその長さ方向に延在するとともに幅方向に屈曲する先端部から前記吸入した外部空気を噴出可能な風路８が連通している。また、第２噴出口６には、マットレス２内でその長さ方向に延在するとともに幅方向に屈曲する先端部から前記吸入した外部空気を噴出可能な風路９が連通している。さらに、第３噴出口７には、マットレス２内でその幅方向に延在するとともにこれに連続して長さ方向に延在し、幅方向に折り返す態様で屈曲する先端部から前記吸入した外部空気を噴出可能な風路１０が連通している。
【００１７】
送風装置３には、その操作用のリモコン１１が電気的に接続されている。送風装置３は、リモコン１１の駆動操作によって外部空気の風を発生するとともに、リモコン１１の選択操作によって３個の噴出口５〜７の少なくとも一箇所から前記吸入した外部空気を選択的に噴出する。これにより、風路８〜１０の先端部の少なくとも一箇所から外部空気が噴出される。なお、風路８〜１０の外部空気を噴出する各先端部は、マットレス２の表層部をなす通気構造のキルト層２ａに開口している。従って、送風装置３に吸入された外部空気がキルト層２ａを介してマットレス２の表面まで送られることで、通気性に優れた快適な環境での睡眠が実現される。
【００１８】
次に、前記送風装置３について更に説明する。図１は、送風装置３を示す分解斜視図である。また、図２（ａ）は、送風装置３を示す平面図であり、図２（ｂ）は、図２（ａ）のＡ−Ａ線に沿った断面図である。同図に示されるように、送風装置３の外形をなすハウジング１６は、四角筒状の側壁部１６ａ及び該側壁部１６ａの開口方向（図２（ｂ）の上下方向）中間部でこれを閉塞する底壁部１６ｂを一体的に有する。そして、底壁部１６ｂの一側（図２（ａ）の左上側）には、前記側壁部１６ａとともに略四角筒形状をなす収容部１６ｃが立設されるとともに、底壁部１６ｂの他側（図２（ａ）の右側）には、略円筒形状をなす流体流入部としての空気流入口１６ｄが立設されている。これら収容部１６ｃ及び空気流入口１６ｄは、図示左右方向における各々の対向部が切り欠かれるとともに、当該左右方向に延在する連結壁１６ｅによって連結されている。なお、底壁部１６ｂには、空気流入口１６ｄの中心部で段付き円筒状に突設された軸受部１６ｆ（図２（ｂ）参照）が立設されている。
【００１９】
図２（ａ）に示すように、収容部１６ｃには、例えば羽根車式の送風機１８が収容されている。そして、側壁部１６ａの開口部には、収容部１６ｃ、空気流入口１６ｄ及び連結壁１６ｅの各先端に密着する態様で四角板状のカバー１９が装着・固定されている。このカバー１９には、前記空気流入口１６ｄと同心で、その内径と同等の内径を有して開口する円形孔１９ａが形成されている。従って、収容部１６ｃ及び連結壁１６ｅは、側壁部１６ａ、底壁部１６ｂ及びカバー１９とともに空気流入口１６ｄに連通する空気通路２０を形成しており、前記送風機１８の駆動で送られる流体としての空気（風）は、空気通路２０を介して空気流入口１６ｄに流入する。この空気流入口１６ｄに流入する空気は、前記吸気口４から吸入した外部空気である。
【００２０】
図２（ｂ）に示すように、底壁部１６ｂの下面には、駆動源としてのステッピングモータ１７が設置されており、その回転軸１７ａは、底壁部１６ｂを貫通して前記軸受部１６ｆ内に現出している。一方、空気流入口１６ｄの開口端部には、その内径と同等の外径を有する円盤状の第１ディスク２１が収納されており、その中心部には、前記軸受部１６ｆの外径及び内径の各々と同等の外径を有する段付き円柱状の軸部２１ａが突設されている。この軸部２１ａは、前記軸受部１６ｆに当接する段差部にて軸線方向への移動が規制されるとともに、該軸受部１６ｆ内に挿入される先端部にてこれに軸支されている。また、軸部２１ａは、軸受部１６ｆ内に挿入される先端部が前記回転軸１７ａに一体回転するように連結されている。従って、第１ディスク２１は、軸部２１ａを中心に空気流入口１６ｄに回動自在に収納されており、前記ステッピングモータ１７にて回動駆動される。
【００２１】
図３（ａ）（ｂ）に示すように、第１ディスク２１には、複数（３個）の円形の第１貫通穴３１ａ，３１ｂ，３１ｃが周方向に所定角度（９０°）間隔で並設されている。これら第１貫通穴３１ａ〜３１ｃは、互いに同一の開口面積を有している。つまり、第１貫通穴３１ａ〜３１ｃは、第１ディスク２１の２７０°（＝９０°×３）の角度範囲で配設されており、該第１ディスク２１の残りの９０°の角度範囲は遮断部３１ｄを形成する。従って、第１ディスク２１は、空気流入口１６ｄの内周面に近接又は摺接する外周部等において該空気流入口１６ｄに軸支される態様で空気流入口１６ｄを閉塞するとともに、第１貫通穴３１ａ〜３１ｃにおいて空気流入口１６ｄを開放する。
【００２２】
なお、第１ディスク２１の中心部には、その上面から下側に円形に凹設された軸受凹部２１ｂが形成されている。また、第１ディスク２１には、第１貫通穴３１ｂ，３１ｃの中間の角度位置となる軸受凹部２１ｂの外周側で、その上面から上側に突設された係合突部２１ｃが形成されている。この係合突部２１ｃは、軸受凹部２１ｂを中心とする尖鋭な扇形状を呈しており、その突出長は第１ディスク２１の板厚と同等に設定されている。
【００２３】
図２（ｂ）に示すように、空気流入口１６ｄの開口端部には、その内径と同等の外径を有する円盤状の第２ディスク２２が前記第１ディスク２１の上面に重ねられる態様で収納されており、その中心部には、前記軸受凹部２１ｂの内径と同等の外径を有する円柱状の軸部２２ａ，２２ｂが下側及び上側にそれぞれ突設されている。各軸部２２ａ，２２ｂの突出長は、第２ディスク２２の板厚と同等に設定されている。そして、一方の軸部２２ａは、前記軸受凹部２１ｂに挿入されてこれに軸支されている。従って、第２ディスク２２も、軸部２２ａを中心に空気流入口１６ｄに回動自在に収納されている。
【００２４】
図４（ａ）（ｂ）に示すように、第２ディスク２２には、軸部２２ａの外周側で、上下方向に貫通する係合凹部としての係合孔２２ｃが形成されている。この係合孔２２ｃは、第２ディスク２２の略１８０°の角度範囲に扇状に延在しており、前記係合突部２１ｃが遊挿される（図２（ｂ）参照）。そして、係合孔２２ｃは、係合突部２１ｃを空走させる態様で第２ディスク２２に対する第１ディスク２１の所定角度範囲（１８０°）での相対回動を許容するとともに該所定角度範囲の終端で第１及び第２ディスク２１，２２が一体回動するように係合突部２１ｃに係合される。すなわち、第１ディスク２１の回動に伴い前記係合突部２１ｃが係合孔２２ｃの周方向におけるいずれかの終端に達すると、第１ディスク２１の更なる回動に伴い係合突部２１ｃが係合孔２２ｃの当該終端を押圧することで、第２ディスク２２が一体回動する。
【００２５】
さらに、第２ディスク２２には、複数（３個）の円形の第２貫通穴３２ａ，３２ｂ，３２ｃが周方向に所定角度（９０°）間隔で並設されている。これら第２貫通穴３２ａ〜３２ｃの開口面積は、第１貫通穴３１ａ〜３１ｃの開口面積と同等に設定されている。つまり、第２貫通穴３２ａ〜３２ｃは、第２ディスク２２の２７０°（＝９０°×３）の角度範囲で配設されており、該第２ディスク２２の残りの９０°の角度範囲は遮断部３２ｄを形成する。これら第２貫通穴３２ａ〜３２ｃの軸部２２ａ（軸受凹部２１ｂ）からの離隔距離は、前記第１貫通穴３１ａ〜３１ｃの軸受凹部２１ｂからの離隔距離と同等に設定されている。従って、第２ディスク２２は、空気流入口１６ｄの内周面に近接又は摺接する外周部等において該空気流入口１６ｄに軸支される態様で空気流入口１６ｄを閉塞するとともに、第２貫通穴３２ａ〜３２ｃにおいて第１ディスク２１を介して空気流入口１６ｄを開放する。
【００２６】
なお、第２ディスク２２には、軸部２２ｂの外周側で、その上面から上側に突設された複数（４個）の突部２２ｄが周方向に所定角度（９０°）間隔で並設されている。各突部２２ｄは、径方向に延在する蒲鉾形状を呈しており、その突出長は第２ディスク２２の板厚よりも小さく設定されている。
【００２７】
図２（ｂ）に示すように、空気流入口１６ｄの開口端（下流側開口端部）には、前記円形孔１９ａの内径と同等の外径を有する円盤状の蓋体２３が前記第２ディスク２２の上面に更に重ねられる態様で固定されている。この蓋体２３は、前記カバー１９と面一になるように円形孔１９ａを閉塞する。また、蓋体２３の中心部には、前記軸部２２ｂの外径と同等の内径を有する円形の軸受孔２３ａが形成されており、該軸受孔２３ａに挿入される軸部２２ｂを軸支する。従って、第１及び第２ディスク２１，２２は、軸受部１６ｆ及び蓋体２３により軸線方向への移動が規制される態様で、蓋体２３に回動自在に積層されている。これら第１及び第２ディスク２１，２２、蓋体２３の板厚は、互いに同等に設定されている。
【００２８】
そして、図５（ａ）（ｂ）に示すように、前記第１〜第３噴出口５〜７は、蓋体２３に配設されている。これら第１〜第３噴出口５〜７は、周方向に所定角度（９０°）間隔で並設されている。これら第１〜第３噴出口５〜７の軸受孔２３ａ（軸部２２ｂ）からの離隔距離は、前記第２貫通穴３２ａ〜３２ｃの軸部２２ｂからの離隔距離と同等に設定されている。すなわち、第１〜第３噴出口５〜７、第１貫通穴３１ａ〜３１ｃ及び第２貫通穴３２ａ〜３２ｃは、軸受孔２３ａを中心とする同一の円上に配置されている。また、第１〜第３噴出口５〜７の開口面積は、第２貫通穴３２ａ〜３２ｃの開口面積と同等に設定されている。つまり、第１〜第３噴出口５〜７は、蓋体２３の２７０°（＝９０°×３）の角度範囲で配設されており、該蓋体２３の残りの９０°の角度範囲は遮断部２３ｂを形成する。そして、空気流入口１６ｄと第１〜第３噴出口５〜７との第１貫通穴３１ａ〜３１ｃ及び第２貫通穴３２ａ〜３２ｃを介した選択的な連通は、第１及び第２ディスク２１，２２の回転位置の組合せを変更することで切り替えられる。
【００２９】
なお、蓋体２３には、軸受孔２３ａの外周側で、その下面から上側に凹設された複数（４個）の溝部２３ｃが周方向に所定角度（９０°）間隔で並設されている。各溝部２３ｃは、径方向に延在する半円溝形状を呈しており、前記突部２２ｄが嵌入可能となっている（図２（ｂ）参照）。これら突部２２ｄ及び溝部２３ｃは、蓋体２３に対して第２ディスク２２を回り止めする保持手段を構成する。
【００３０】
次に、第１及び第２ディスク２１，２２の位置決め態様について図６に示す模式的な断面図に従って説明する。なお、同図では、便宜的に、第１ディスク２１の回動に伴い係合突部２１ｃの移動する係合孔２２ｃを連続する溝状の空間として描画するとともに、第２ディスク２２の回り止めに係る保持手段（突部２２ｄ及び溝部２３ｃ）を併せ描画している。
【００３１】
図６（ａ）に示すように、突部２２ｄ及び溝部２３ｃにより第２ディスク２２が一の回転位置で回り止めされており、第１ディスク２１の係合突部２１ｃが係合孔２２ｃの周方向における両終端間の中央に配置されているとする。この状態で、第１ディスク２１が一側方向（見かけ上、係合突部２１ｃが図示右側に移動する方向）に回動駆動されると、図６（ｂ）に示すように、第２ディスク２２を残置したまま、係合突部２１ｃが係合孔２２ｃの周方向における終端に達する。
【００３２】
この状態で、第１ディスク２１が一側方向に更に回動駆動されると、図６（ｃ）に示すように、係合突部２１ｃが係合孔２２ｃの周方向における終端を押圧することで、第２ディスク２２が第１ディスク２１との一体回動を開始する。この際、突部２２ｄは、溝部２３ｃから抜けて蓋体２３の対向面を摺動する。
【００３３】
そして、第２ディスク２２の一体回動に伴い、図６（ｄ）に示すように、突部２２ｄが隣の溝部２３ｃに達して当該溝部２３ｃに嵌入すると、第２ディスク２２が次の回転位置で回り止めされる。
【００３４】
また、この状態で、第１ディスク２１が他側方向（見かけ上、係合突部２１ｃが図示左側に移動する方向）に回動駆動されると、図６（ｅ）に示すように、第２ディスク２２を残置したまま、係合突部２１ｃが係合孔２２ｃを移動する。
【００３５】
このように、第２ディスク２２に対する第１ディスク２１の相対回動並びに第１及び第２ディスク２１，２２の一体回動を組み合わせることで、第１及び第２ディスク２１，２２の回転位置の組合せが変更される。
【００３６】
ここで、突部２２ｄ及び溝部２３ｃにより第２ディスク２２の回り止めされた状態では、第２貫通穴３２ａ〜３２ｃの配置された角度位置と第１〜第３噴出口５〜７の配置された角度位置とが少なくとも２箇所で一致するように設定されている。また、第２ディスク２２の回り止めされているとき、前記係合孔２２ｃの周方向におけるいずれかの終端若しくは両終端間の中央に前記係合突部２１ｃが配置されている状態では、第１貫通穴３１ａ〜３１ｃの配置された角度位置と第１〜第３噴出口５〜７の配置された角度位置とが少なくとも２箇所で一致するように設定されている。換言すれば、第１及び第２ディスク２１，２２の各々は、対応する遮断部３１ｄ，３２ｄにて第１〜第３噴出口５〜７のいずれか一つの連通を遮断することができる。これにより、第１及び第２ディスク２１，２２の回転位置の組合せを変更することで、前記空気流入口１６ｄと第１〜第３噴出口５〜７との第１貫通穴３１ａ〜３１ｃ及び第２貫通穴３２ａ〜３２ｃを介した連通を、少なくとも一つ以上の噴出口５〜７が連通する互いに異なる全てのパターン（パターン数：７＝２＾３ー１）で実現することができる。
【００３７】
以下、前記空気流入口１６ｄと少なくとも一つ以上の噴出口５〜７とが連通する互いに異なる全て（７つ）のパターンＡ〜Ｇについて図７〜図９に基づいて説明する。なお、図７は、各パターンＡ〜Ｇと、対応する第１〜第３噴出口５〜７の連通・非連通との関係を示す一覧図であって、連通状態にある第１〜第３噴出口５〜７を○印にて表示している。また、図８（ａ）〜（ｄ）及び図９（ａ）〜（ｃ）は、各パターンＡ〜Ｇにおける蓋体２３の回転位置（以下、回転角度ともいう）を基準にした第１及び第２ディスク２１，２２の回転角度を示す説明図である。
【００３８】
まず、空気流入口１６ｄと第１〜第３噴出口５〜７の全てとが連通するパターンＡについて説明する。図８（ａ）に示すように、このときの第１及び第２ディスク２１，２２の回転角度をそれぞれ「０°」で表すと、当該回転角度にある第１ディスク２１の第１貫通穴３１ａ〜３１ｃ及び第２ディスク２２の第２貫通穴３２ａ〜３２ｃは、全て対応する第１〜第３噴出口５〜７に連通している。
【００３９】
そして、空気流入口１６ｄと第２及び第３噴出口６，７とが連通するパターンＢでは、図８（ｂ）に示すように、第１ディスク２１は、パターンＡにおける回転角度から図示時計回転方向に「９０°」回動した「２７０（＝３６０−９０）°」の回転角度にあり、前記遮断部３１ｄによって第１噴出口５を塞いでいる。
【００４０】
また、空気流入口１６ｄと第１及び第３噴出口５，７とが連通するパターンＣでは、図８（ｃ）に示すように、第１ディスク２１は、パターンＡにおける回転角度から図示時計回転方向に「１８０°」回動した「１８０（＝３６０−１８０）°」の回転角度にあり、前記遮断部３１ｄによって第２噴出口６を塞いでいる。
【００４１】
さらに、空気流入口１６ｄと第１及び第２噴出口５，６とが連通するパターンＤでは、図８（ｄ）に示すように、第１及び第２ディスク２１，２２は、共にパターンＡにおける回転角度から図示反時計回転方向に「９０°」回動した「９０°」の回転角度にあり、前記両遮断部３１ｄ，３２ｄによって第３噴出口７を塞いでいる。
【００４２】
さらにまた、空気流入口１６ｄと第１噴出口５とが連通するパターンＥでは、図９（ａ）に示すように、第１ディスク２１は、パターンＡにおける回転角度から図示反時計回転方向に「９０°」回動した「９０°」の回転角度にあり、前記遮断部３１ｄによって第３噴出口７を塞いでいる。一方、第２ディスク２２は、パターンＡにおける回転角度から図示時計回転方向に「１８０°」回動した「１８０°」の回転角度にあり、前記遮断部３２ｄによって第２噴出口６を塞いでいる。
【００４３】
また、空気流入口１６ｄと第２噴出口６とが連通するパターンＦでは、図９（ｂ）に示すように、第１ディスク２１は、パターンＡにおける回転角度から図示反時計回転方向に「９０°」回動した「９０°」の回転角度にあり、前記遮断部３１ｄによって第３噴出口７を塞いでいる。一方、第２ディスク２２は、パターンＡにおける回転角度から図示時計回転方向に「９０°」回動した「２７０°」の回転角度にあり、前記遮断部３２ｄによって第１噴出口５を塞いでいる。
【００４４】
さらに、空気流入口１６ｄと第３噴出口７とが連通するパターンＧでは、図９（ｃ）に示すように、第１ディスク２１は、パターンＡにおける回転角度から図示反時計回転方向に「１８０°」回動した「１８０°」の回転角度にあり、前記遮断部３１ｄによって第２噴出口６を塞いでいる。一方、第２ディスク２２は、パターンＡにおける回転角度から図示時計回転方向に「９０°」回動した「２７０°」の回転角度にあり、前記遮断部３２ｄによって第１噴出口５を塞いでいる。
【００４５】
以上により、前記空気流入口１６ｄと少なくとも一つ以上の噴出口５〜７とが連通する互いに異なる全て（７つ）のパターンＡ〜Ｇが実現される。
次に、第１ディスク２１の回動駆動に伴うパターンＡ〜Ｇ間の移行態様の一例について説明する。
【００４６】
まず、図８（ａ）に示すように、第１及び第２ディスク２１，２２がパターンＡにおける回転角度にあるものとする。このとき、第１ディスク２１の係合突部２１ｃは、図示反時計回転方向に回動する側で前記係合孔２２ｃの周方向における一方の終端に当接するように設定されている（図３及び図４参照）。従って、この状態で第１ディスク２１が図示反時計回転方向に回動駆動されるときには、第１ディスク２１は第２ディスク２２との一体回動が可能である。一方、第１ディスク２１が図示時計回転方向に回動駆動されるときには、第１ディスク２１は第２ディスク２２に対して「１８０°」の範囲で相対回動が可能である。
【００４７】
ここで、第１ディスク２１が図示時計回転方向に「９０°」回動駆動され、第２ディスク２２（及び蓋体２３）に対して相対回動すると、図８（ｂ）に示すように、第１ディスク２１の回転角度が「２７０°」となってパターンＢに移行する。
【００４８】
続いて、第１ディスク２１が図示時計回転方向に更に「９０°」回動駆動され、第２ディスク２２（及び蓋体２３）に対して相対回動すると、図８（ｃ）に示すように、第１ディスク２１の回転角度が「１８０°」となってパターンＣに移行する。このとき、第１ディスク２１の係合突部２１ｃは、図示時計回転方向に回動する側で前記係合孔２２ｃの周方向における他方の終端に当接する。
【００４９】
この状態で、第１ディスク２１が図示時計回転方向に更に「９０°」回動駆動され、第２ディスク２２と一体回動すると、図９（ｂ）に示すように、第１ディスク２１の回転角度が「９０°」となるとともに、第２ディスク２２の回転角度が「２７０°」となってパターンＦに移行する。
【００５０】
続いて、第１ディスク２１が図示時計回転方向に「９０°」回動駆動（逆駆動）され、第２ディスク２２（及び蓋体２３）に対して相対回動すると、図９（ｃ）に示すように、第１ディスク２１の回転角度が「１８０°」となってパターンＧに移行する。
【００５１】
また、パターンＦの状態で、第１ディスク２１が図示時計回転方向に更に「９０°」回動駆動されて第２ディスク２２と一体回動するとともに、引き続き、第１ディスク２１が図示時計回転方向に「９０°」回動駆動（逆駆動）されて第２ディスク２２（及び蓋体２３）に対して相対回動すると、図９（ａ）に示すように、第１ディスク２１の回転角度が「９０°」となるとともに、第２ディスク２２の回転角度が「１８０°」となってパターンＥに移行する。
【００５２】
一方、パターンＡの状態で、第１ディスク２１が図示反時計回転方向に「９０°」回動駆動され、第２ディスク２２と一体回動すると、図８（ｄ）に示すように、第１ディスク２１の回転角度が「９０°」となるとともに、第２ディスク２２の回転角度が「９０°」となってパターンＤに移行する。
【００５３】
このように、第１ディスク２１の回動駆動に伴う第２ディスク２２の一体回動・相対回動を利用することで、全てのパターンＡ〜Ｇへの移行が可能となる。なお、前記した第１ディスク２１の駆動態様及びこれに伴うパターンＡ〜Ｇの移行の順番は一例であって、現在のパターンＡ〜Ｇ及び移行させようとするパターンＡ〜Ｇに応じて第１ディスク２１の駆動態様を変更してもよい。ただし、各パターンＡ〜Ｇ間の移行に要する第１ディスク２１の回動量、即ちステッピングモータ１７の駆動量（駆動回数）を最少にすることが好ましい。
【００５４】
以上詳述したように、本実施形態によれば、以下に示す効果が得られるようになる。
（１）本実施形態では、第２貫通穴３２ａ〜３２ｃ及び第１〜第３噴出口５〜７が選択的に連通する一の状態で、第２ディスク２２に対して第１ディスク２１を相対回動させて空気流入口１６ｄと第１〜第３噴出口５〜７とを第１貫通穴３１ａ〜３１ｃ及び第２貫通穴３２ａ〜３２ｃを介して一のパターンで選択的に連通し、あるいは第１及び第２ディスク２１，２２を一体回動させて第２貫通穴３２ａ〜３２ｃ及び第１〜第３噴出口５〜７の選択的な連通を切り替えた他の状態で、第２ディスク２２に対して第１ディスク２１を相対回動させて空気流入口１６ｄと第１〜第３噴出口５〜７とを第１貫通穴３１ａ〜３１ｃ及び第２貫通穴３２ａ〜３２ｃを介して他のパターンで選択的に連通することができる。このように、２枚のディスク（第１及び第２ディスク２１，２２）を用いて、各々の回転位置の組み合わせを変更することで、空気流入口１６ｄと第１〜第３噴出口５〜７との第１貫通穴３１ａ〜３１ｃ及び第２貫通穴３２ａ〜３２ｃを介した選択的な連通を切り替え、空気流入口１６ｄに流入した空気を第１〜第３噴出口５〜７からより多くのパターンで流出させることができる。また、蓋体２３に積層された２枚のディスク（第１及び第２ディスク２１，２２）を用いた極めて簡易な構成を採用したことで、装置全体をより小型化することができる。
【００５５】
（２）本実施形態では、噴出口５〜７、第１貫通穴３１ａ〜３１ｃ及び第２貫通穴３２ａ〜３２ｃは、それぞれ互いに同一の所定角度（９０°）間隔に３個配設されており、第２ディスク２２に対する第１ディスク２１の相対回動が許容される角度範囲は、前記所定角度の２倍（１８０°）に設定されている。従って、第２ディスク２２に対する第１ディスク２１の相対回動並びに第１及び第２ディスク２１，２２の一体回動を組み合わせることで、第１及び第２ディスク２１，２２によりいずれか一つの噴出口５〜７の連通を遮断することができる。従って、空気流入口１６ｄと複数（３個）の噴出口５〜７との第１貫通穴３１ａ〜３１ｃ及び第２貫通穴３２ａ〜３２ｃを介した連通は、少なくとも一つ以上の噴出口５〜７が連通する互いに異なる全てのパターン（パターン数：７＝２＾３−１）で実現することができる。これにより、少ない個数の噴出口５〜７等で、空気流入口１６ｄと複数（３個）の噴出口５〜７とのとの連通のパターンを効率的により多く得ることができ、ひいては装置全体としてより小型化することができる。
【００５６】
（３）本実施形態では、噴出口５〜７、第１貫通穴３１ａ〜３１ｃ及び第２貫通穴３２ａ〜３２ｃは、それぞれ蓋体２３、第１ディスク２１及び第２ディスク２２の２７０°（＝９０°×３）の角度範囲で配設されている。従って、いずれか一つの噴出口５〜７の連通を、第１及び第２ディスク２１，２２の残りの９０°の角度範囲でそれぞれ遮断することができる。このように、蓋体２３、第１ディスク２１及び第２ディスク２２のスペースを有効利用して噴出口５〜７、第１貫通穴３１ａ〜３１ｃ及び第２貫通穴３２ａ〜３２ｃを配設することで、これら噴出口５〜７、第１貫通穴３１ａ〜３１ｃ及び第２貫通穴３２ａ〜３２ｃの開口面積をそれぞれより大きくすることができる。
【００５７】
（４）本実施形態では、第２ディスク２２は、第１ディスク２１及び蓋体２３間に挟み込まれており、第２ディスク２２及び蓋体２３間に設けられた保持手段（突部２２ｄ及び溝部２３ｃ）により回り止めされる。従って、第２ディスク２２に対する第１ディスク２１の相対回動時に第２ディスク２２に生じる位置ずれ（連れ回り）を抑制することができ、流路切替の信頼性を向上することができる。
【００５８】
（５）本実施形態では、第２ディスク２２及び蓋体２３間に設けられた保持手段を、突部２２ｄ及び該突部２２ｄの嵌入可能な溝部２３ｃからなる極めて簡易な構成にすることができる。
【００５９】
（６）本実施形態では、空気流入口１６ｄに流入した空気を複数の噴出口５〜７からより多くのパターンで流出させて換気に供することができる換気機能付きベッド１を提供することができる。
【００６０】
なお、上記実施形態は以下のように変更してもよい。
・前記実施形態において、第１ディスク２１又は第２ディスク２２は、噴出口５〜７のいずれか一つを遮断可能であれば、円盤状でなくてもよい。
【００６１】
・前記実施形態において、蓋体２３は、円盤状でなくてもよい。例えば、蓋体２３は、カバー１９に一体形成されていてもよい。
・前記実施形態において、空気流入口１６ｄは、第１及び第２ディスク２１，２２を必ずしも軸支していなくてもよい。この場合、空気流入口１６ｄは、四角筒状など、その他の筒形状を呈していればよい。
【００６２】
・前記実施形態において、いずれか一つの噴出口５〜７の開口面積が、残りの噴出口５〜７の開口面積と異なっていてもよい。あるいは、第１〜第３噴出口５〜７の開口面積が互いに異なっていてもよい。
【００６３】
・前記実施形態において、蓋体２３に、噴出口５〜７に対し軸受孔２３ａを中心とする径方向にずれた噴出口を形成してもよい。この場合、第１及び第２ディスク２１，２２に、空気流入口１６ｄ及び当該噴出口間を選択的に連通可能な貫通穴を形成すればよい。
【００６４】
・前記実施形態において、蓋体２３に配設される噴出口（流体流出部）の個数は、周方向に複数並設されているのであればいくつであってもよい。また、これら噴出口は、所定角度間隔に必ずしも配設されていなくてもよい。要は、第１及び第２ディスク２１，２２に、空気流入口１６ｄ及びこれら噴出口間を選択的に連通可能な第１及び第２貫通穴がそれぞれ形成されていればよい。
【００６５】
・前記実施形態において、第１ディスク２１及び蓋体２３間に挟み込まれた第２ディスク２２は、蓋体２３（軸受孔２３ａ）に軸支されていなくてもよい。この場合、第２ディスク２２を、空気流入口１６ｄにて軸支すればよい。
【００６６】
・前記実施形態において、第１及び第２ディスク２１，２２、蓋体２３の積層の順番を変更してもよい。例えば第２ディスク２２及び蓋体２３間に第１ディスク２１が挟み込まれていてもよい。
【００６７】
・前記実施形態において、係合突部２１ｃの遊挿される係合凹部（係合孔２２ｃ）は、第２ディスク２２を必ずしも貫通している必要はなく、例えば第２ディスク２２の下面から上側に凹設された溝状の係合凹部であってもよい。
【００６８】
・前記実施形態において、第１ディスク２１に係合凹部（係合孔）を設け、第２ディスク２２に係合凹部に遊挿される係合突部を設けてもよい。
・前記実施形態において、第１ディスク２１の回転角度を制御可能であれば、駆動源としてブラシモータなどを採用してもよい。
【００６９】
次に、上記実施形態及び別例から把握できる技術的思想について以下に追記する。
（イ）請求項４に記載の流路切替装置において、
前記保持手段は、
前記第２ディスク及び前記蓋体のいずれか一方に突設された突部と、
前記第２ディスク及び前記蓋体のいずれか他方に形成され、前記突部の嵌入可能な溝部とからなることを特徴とする流路切替装置。同構成によれば、前記保持手段を、前記突部及び前記溝部からなる極めて簡易な構成にすることができる。
【００７０】
（ロ）請求項１〜４及び上記（イ）のいずれか一項に記載の流路切替装置を備えたことを特徴とする換気機能付きベッド。同構成によれば、流体流入部に流入した流体としての空気を複数の流体流出部からより多くのパターンで流出させて換気に供することができる換気機能付きベッドを提供することができる。
【符号の説明】
【００７１】
５〜７…噴出口（流体流出部）、１６ｄ…空気流入口（流体流入部）、１７…ステッピングモータ（駆動源）、２１…第１ディスク、２１ｃ…係合突部、２２…第２ディスク、２２ｃ…係合孔（係合凹部）、２２ｄ…突部（保持手段）、２３…蓋体、２３ｃ…溝部（保持手段）、３１ａ〜３１ｃ…第１貫通穴、３２ａ〜３２ｃ…第２貫通穴。
【図１】
2010223373.tif 000003
【図２】
2010223373.tif 000004
【図３】
2010223373.tif 000005
【図４】
2010223373.tif 000006
【図５】
2010223373.tif 000007
【図６】
2010223373.tif 000008
【図７】
2010223373.tif 000009
【図８】
2010223373.tif 000010
【図９】
2010223373.tif 000011
【図１０】
2010223373.tif 000012